(57)【要約】【課題】、葬儀の必要が生じたとき、その葬儀費用の捻出がより容易にできるようにし、しかも、この葬儀費用をより安価にできるようにすると共に、葬儀内容が檀信徒として、より意向に沿ったものとなるようにする。【解決手段】寺院葬儀システム３が、寺院６のリストと、これら各寺院６にそれぞれ加盟する檀信徒７のリストと、将来発生する葬儀費用の受け取りを可能とする葬儀保険を契約した保険契約者９のリストとを格納するデータベース４を備える。データベース４への保険契約者９の入力に基づいて、この保険契約者９がいずれの寺院６に加盟している檀信徒７であるかが検索されるようにする。データベース４が、各檀信徒７の親族８のリストを格納し、データベース４への保険契約者９の入力に基づいて、この保険契約者９がいずれの寺院６に加盟している檀信徒７の親族８であるかが検索されるようにする。【選択図】    図１
2004199482.tif 000002
【特許請求の範囲】
【請求項１】
寺院のリストと、これら各寺院にそれぞれ加盟する檀信徒のリストと、将来発生する葬儀費用の受け取りを可能とする葬儀保険を契約した保険契約者のリストとを格納するデータベースを備え、上記データベースへの保険契約者の入力に基づいて、この保険契約者がいずれの寺院に加盟している檀信徒であるかが検索されるようにした寺院葬儀システム。
【請求項２】
上記データベースが、上記各檀信徒の親族のリストを格納し、上記データベースへの保険契約者の入力に基づいて、この保険契約者がいずれの寺院に加盟している檀信徒の親族であるかが検索されるようにした請求項１に記載の寺院葬儀システム。
【請求項３】
上記データベースが、上記保険契約についての保険内容を格納し、上記データベースへの保険契約者の入力に基づいて、この保険契約者についての保険内容が検索されるようにした請求項１、もしくは２に記載の寺院葬儀システム。
【請求項４】
上記データベースが、上記保険内容に相応する葬儀の内容を格納し、上記データベースへの保険契約者の入力に基づいて、この保険契約者についての保険内容と、この保険内容に相応する葬儀の内容とが検索されるようにした請求項１から３のうちいずれか１つに記載の寺院葬儀システム。
【発明の詳細な説明】
【０００１】
【発明が属する技術分野】
本発明は、葬儀の必要が生じたとき、この葬儀が、葬儀保険と寺院葬儀との互いの連携により実行されるようにする寺院葬儀システムに関するものである。
【０００２】
【従来の技術】
【０００３】
【特許文献１】特開２００２‐４９７０９
【０００４】
葬儀の必要が生じたとき、この葬儀は一般に緊急性を要し、また、喪主にとって不慣れなものであることから、一般的に葬儀業者に依頼し、この葬儀業者が葬儀の一切を実行することとされている。また、この場合、どのような葬儀内容にするかは、上記特許文献１のような葬儀見積契約システムなどにより決定されていた。
【０００５】
【発明が解決しようとする課題】
しかし、葬儀の必要性は、突然に訪れることがあるため、喪主として葬儀費用を容易には捻出し難いおそれがある。
【０００６】
また、従来の葬儀業者は、一般に、喪主との打ち合わせに従い、葬儀業者が管理する葬儀会館内に、葬儀毎に一から祭壇を組み上げるため、葬儀費用が極めて高額になるという問題点があり、しかも、このような葬儀内容は、商業的に過ぎる場合があって、ある寺院の檀信徒としては必ずしも意向に沿ったものでない場合がみられた。
【０００７】
本発明は、上記のような事情に注目してなされたもので、葬儀の必要が生じたとき、その葬儀費用の捻出がより容易にできるようにし、しかも、この葬儀費用をより安価にできるようにすると共に、葬儀内容が檀信徒として、より意向に沿ったものとなるようにすることを課題とする。
【０００８】
【課題を解決するための手段】
上記課題を解決するための本発明の寺院葬儀システムは、次の如くである。なお、この項において各用語に付記した符号は、本発明の技術的範囲を後述の「発明の実施の形態」の項の内容に限定解釈するものではない。
【０００９】
請求項１の発明は、寺院６のリストと、これら各寺院６にそれぞれ加盟する檀信徒７のリストと、将来発生する葬儀費用の受け取りを可能とする葬儀保険を契約した保険契約者９のリストとを格納するデータベース４を備え、上記データベース４への保険契約者９の入力に基づいて、この保険契約者９がいずれの寺院６に加盟している檀信徒７であるかが検索されるようにしたものである。
【００１０】
請求項２の発明は、請求項１の発明に加えて、上記データベース４が、上記各檀信徒７の親族８のリストを格納し、上記データベース４への保険契約者９の入力に基づいて、この保険契約者９がいずれの寺院６に加盟している檀信徒７の親族８であるかが検索されるようにしたものである。
【００１１】
請求項３の発明は、請求項１、もしくは２の発明に加えて、上記データベース４が、上記保険契約についての保険内容を格納し、上記データベース４への保険契約者９の入力に基づいて、この保険契約者９についての保険内容が検索されるようにしたものである。
【００１２】
請求項４の発明は、請求項１から３のうちいずれか１つの発明に加えて、上記データベース４が、上記保険内容に相応する葬儀の内容を格納し、上記データベース４への保険契約者９の入力に基づいて、この保険契約者９についての保険内容と、この保険内容に相応する葬儀の内容とが検索されるようにしたものである。
【００１３】
【発明の実施の形態】
以下、本発明の実施の形態を図面により説明する。
【００１４】
図において、符号１は寺院関連業者で、２は保険業者であり、上記寺院関連業者１は寺院葬儀システム３を備えている。
【００１５】
上記寺院葬儀システム３は、データベース４と、このデータベース４に入力、出力可能なコンピュータ５とを備え、このコンピュータ５は、本体、ディスプレイ、キーボード、プリンタを備えている。このコンピュータ５を操作すれば、上記データベース４に種々のデータを入力させて格納させることができ、一方、上記データベース４から所望のデータを検索して出力させることができる。
【００１６】
上記データベース４には、次の内容が格納される。即ち、上記データベース４には、複数の寺院６のリストと、これら各寺院６にそれぞれ加盟する檀信徒７のリストと、これら各檀信徒７の親族８のリストと、これら各檀信徒７および親族８のうち、将来発生する葬儀費用の受け取りを可能とする葬儀保険を契約した保険契約者９のリストと、上記保険契約についての保険内容と、これら保険内容のうちの特に保険金の額に相応する各種葬儀の内容と、上記保険内容のうちの特に保険金の額に相応する各種墓の内容とが格納される。
【００１７】
上記コンピュータ５により上記データベース４へ保険契約者９を入力すると、この入力に基づいて、この保険契約者９がいずれの寺院６に加盟している檀信徒７であるか否か、上記保険契約者９が檀信徒７の親族８であるか否か、上記保険契約者９についての保険内容、この保険内容に相応する各葬儀の内容、および上記保険内容に相応する各種墓の内容が検索されるようになっている。
【００１８】
上記寺院６のリストには、住所、電話番号、地図、最寄りの駅名を含む交通手段などの「基本事項」が含まれる。また、上記檀信徒７のリストには、上記「基本事項」の他、檀信徒７として加盟している寺院名、親族８との続柄が含まれる。また、上記親族８のリストには上記「基本事項」が含まれる。また、上記保険契約者９には被保険者、保険金受取人名と、これらについての上記「基本事項」が含まれる。また、上記保険内容には、保険金の額、保険金の支払い方法、支払い時期、その他の定めが含まれる。また、上記葬儀の内容には、祭壇の規模などが含まれる。また、上記墓の内容には、上記「基本事項」の他、墓石の形状、大きさなどが含まれる。
【００１９】
上記保険業者２は、データベース１２と、このデータベース１２に入力、出力可能なコンピュータ１３とを備え、このコンピュータ１３は、本体、ディスプレイ、キーボード、プリンタを備えている。このコンピュータ１３を操作すれば、上記データベース１２に種々のデータを入力させて格納させることができ、一方、上記コンピュータ１３から所望のデータを検索して出力させることができる。
【００２０】
上記データベース１２には、上記保険契約者９のリストと、将来に各種保険金の受け取りを可能とする各種保険を契約した一般保険契約者１４のリストと、上記各保険契約についのて保険内容とが格納される。
【００２１】
上記寺院関連業者１は、寺院６や檀信徒７に関連する事業を幅広く行う者であって、例えば、寺院６における仏像、仏具と、檀信徒７における仏壇とについての泡洗浄や、これらの補修、清掃を行うことを主たる事業とし、その他、寺院葬儀の代行や、上記保険業者２への葬儀保険の斡旋を行う者であり、長年にわたり、上記寺院６や檀信徒７とは深い関係を築いているものである。
【００２２】
一方、上記保険業者２は、上記保険契約者９や一般保険契約者１４との間で保険契約が成立する毎に、コンピュータ１３を操作して保険内容をデータベース１２に入力して格納する。ここで、上記したように寺院関連業者１が保険業者２に葬儀保険を斡旋したことに応じて、上記保険業者２は、上記檀信徒７や親族８である保険契約者９につき、その保険契約者９のリストと保険内容などを上記コンピュータ１３への操作により上記寺院関連業者１のデータベース４に入力して自動的に格納する。もしくは、上記保険業者２は、上記保険契約者９のリストと保険内容などを寺院関連業者１に別途に通知し、この寺院関連業者１は、上記保険契約者９のリストなどを上記コンピュータ５を操作してデータベース４に入力して格納する。
【００２３】
そして、上記檀信徒７に関し葬儀の必要が生じたときであって、この檀信徒７が保険契約者９である場合には、この保険契約者９は、保険業者２との保険契約の定めにより、まず、上記保険業者２に通知する。すると、この保険業者２は上記保険契約者９の通知事項に基づき、直ちにコンピュータ１３を操作して葬儀保険の実行に移り、これにより、上記保険契約者９は葬儀費用としての保険金を受け取ることができる。
【００２４】
一方、上記保険業者２に対し保険契約者９から通知があったことは、上記コンピュータ１３、データベース４、コンピュータ５を通して上記寺院関連業者１に自動的に伝達される。もしくは、上記保険業者２に対し保険契約者９から通知があったことは、保険業者２から寺院関連業者１に別途に通知される。
【００２５】
すると、寺院関連業者１は、コンピュータ５を操作して、データベース４により上記保険契約者９が檀信徒７として加盟している寺院６を検索し、この寺院６に了解をとった後、この寺院６において寺院葬儀が可能な旨を上記檀信徒７に通知する。そして、この檀信徒７が了解すれば、寺院関連業者１は寺院６に寺院葬儀を斡旋し、もしくは、上記寺院６において、ご住職と協力して寺院葬儀を行う。また、この寺院葬儀に伴い戒名が与えられる。
【００２６】
上記寺院６における寺院葬儀では、この葬儀に必要な仏像、仏具等が既に厳かに準備されていて、一から祭壇を組み上げる必要は無いことから、その分、葬儀費用は、より安価にできる。
【００２７】
しかも、上記寺院葬儀は常々信仰の深い仏像（ご本尊）の前で行われるため、その葬儀内容は商業的に過ぎることなく、檀信徒７として、より意向に沿ったものとなる。
【００２８】
また、前記したように、データベース４が、上記各檀信徒７の親族８のリストを格納し、上記データベース４への保険契約者９の入力に基づいて、この保険契約者９がいずれの寺院６に加盟している檀信徒７の親族８であるかが検索されるようにしてある。
【００２９】
このため、上記親族８を検索すれば、上記保険契約者９が檀信徒７である場合にとどまらず、上記親族８についても上記した寺院葬儀を行うことができ、上記檀信徒７と同様の利益が上記親族８にも与えられる。
【００３０】
また、前記したように、データベース４が、上記保険契約についての保険内容を格納し、上記データベース４への保険契約者９の入力に基づいて、この保険契約者９についての保険内容が検索されるようにしてある。
【００３１】
このため、上記保険内容を検索すれば、この保険内容の特に保険金の額に相応しい寺院葬儀を容易に選択することができて、喪主の金銭的負担が過度になるということが防止される。
【００３２】
また、前記したように、データベース４が、上記保険内容に相応する各種葬儀の内容を格納し、上記データベース４への保険契約者９の入力に基づいて、この保険契約者９についての保険内容と、この保険内容に相応する各種葬儀の内容が検索されるようにしてある。
【００３３】
このため、上記保険内容の特に保険金の額に相応する各種葬儀の内容を検索すれば、これらの葬儀のうちから、上記保険内容に相応しい寺院葬儀を迅速に選択することができて、喪主の金銭的かつ時間的負担を軽減させることができる。
【００３４】
また、前記したように、データベース４が、上記保険内容に相応する各種墓の内容を格納し、上記データベース４への保険契約者９の入力に基づいて、この保険契約者９についての保険内容と、この保険内容に相応する各種墓の内容が検索されるようになっている。
【００３５】
このため、上記保険内容の特に保険金の額に相当する各種墓の内容を検索すれば、これらの墓のうちから、上記保険内容に相応しい墓を迅速に選択することができて、喪主の金銭的かつ時間的負担を軽減させることができる。
【００３６】
なお、以上は図示の例によるが、上記データベース４は保険業者２に備えられたものであってもよい。また、喪主の希望データを上記コンピュータ５によりデータベース４に入力することに基づき、寺院葬儀の見積や、葬儀の進行状況の把握ができるようにしてもよい。
【００３７】
【発明の効果】
本発明による効果は、次の如くである。
【００３８】
請求項１の発明は、寺院のリストと、これら各寺院にそれぞれ加盟する檀信徒のリストと、将来発生する葬儀費用の受け取りを可能とする葬儀保険を契約した保険契約者のリストとを格納するデータベースを備え、上記データベースへの保険契約者の入力に基づいて、この保険契約者がいずれの寺院に加盟している檀信徒であるかが検索されるようにしてある。
【００３９】
このため、上記保険契約者に関し葬儀の必要が生じたときには、この保険契約者が保険業者に通知することにより、上記保険契約者は葬儀費用としての保険金を受け取ることができ、よって、葬儀費用の捻出が容易にできる。
【００４０】
一方、上記保険契約者から通知があったことを上記保険業者が寺院関連業者に伝達すると、この寺院関連業者は、上記データベースにより上記保険契約者が檀信徒として加盟している寺院を検索できる。そして、このように検索した寺院と保険契約者である檀信徒とが寺院葬儀につき、それぞれ了解すれば、寺院関連業者は寺院に寺院葬儀を斡旋し、もしくは、上記寺院において、ご住職と協力して寺院葬儀を行うことができる。
【００４１】
上記寺院における寺院葬儀では、この葬儀に必要な仏像、仏具等が既に厳かに準備されていて、一から祭壇を組み上げる必要は無いことから、その分、葬儀費用は、より安価にできる。
【００４２】
しかも、上記寺院葬儀は常々信仰の深い仏像（ご本尊）の前で行われるため、その葬儀内容は商業的に過ぎることなく、檀信徒として、より意向に沿ったものとなる。
【００４３】
請求項２の発明は、上記データベースが、上記各檀信徒の親族のリストを格納し、上記データベースへの保険契約者の入力に基づいて、この保険契約者がいずれの寺院に加盟している檀信徒の親族であるかが検索されるようにしてある。
【００４４】
このため、上記親族を検索すれば、上記保険契約者が檀信徒である場合にとどまらず、上記親族についても上記した寺院葬儀を行うことができ、上記檀信徒と同様の利益が上記親族にも与えらる。
【００４５】
請求項３の発明は、上記データベースが、上記保険契約についての保険内容を格納し、上記データベースへの保険契約者の入力に基づいて、この保険契約者についての保険内容が検索されるようにしてある。
【００４６】
このため、上記保険内容を検索すれば、この保険内容の特に保険金の額に相応しい寺院葬儀を容易に選択することができて、喪主の金銭的負担が過度になるということが防止される。
【００４７】
請求項４の発明は、上記データベースが、上記保険内容に相応する葬儀の内容を格納し、上記データベースへの保険契約者の入力に基づいて、この保険契約者についての保険内容と、この保険内容に相応する葬儀の内容とが検索されるようにしてある。
【００４８】
このため、上記保険内容の特に保険金の額に相応する葬儀の内容を、上記検索により迅速に選択することができて、喪主の金銭的かつ時間的負担を軽減させることができる。
【図面の簡単な説明】
【図１】寺院関連業者、保険業者、および寺院葬儀システムが関連した線図である。
【符号の説明】
１      寺院関連業者
２      保険業者
３      寺院葬儀システム
４      データベース
５      コンピュータ
６      寺院
７      檀信徒
８      親族
９      保険契約者
【図１】
2004199482.tif 000003